(57)【特許請求の範囲】
【請求項１】
調光制御可能な照明制御システムであって、
照明空間を撮像する撮像装置と、
前記撮像装置によって撮像された画像に基づいて外光量を特定する外光検出部、前記外光量の変化率又は変化量である外光変化量を取得する変化量取得部、前記外光変化量に対応する光量を補償するための調光変化量を決定する調光量決定部、調光率を前記調光変化量だけ緩徐変化させる低速調光制御又は調光率を前記調光変化量だけ瞬時変化させる高速調光制御を前記外光変化量又は前記調光変化量に基づいて選択する制御選択部、及び前記制御選択部によって選択された前記低速調光制御又は前記高速調光制御に従って照明器具を調光制御する調光制御部を含むＣＰＵと
を備え、
前記制御選択部が、前記外光変化量の絶対値が所定値未満である場合には前記低速調光制御を選択し、前記外光変化量の絶対値が前記所定値以上である場合には前記高速調光制御を選択するように構成され、又は
前記制御選択部が、前記調光変化量の絶対値が閾値未満である場合には前記低速調光制御を選択し、前記調光変化量の絶対値が前記閾値以上である場合には前記高速調光制御を選択するように構成された、照明制御システム。
【請求項２】
調光制御可能な照明制御システムであって、
照明空間を撮像する撮像装置と、
前記撮像装置によって撮像された画像に基づいて外光量を特定する外光検出部、前記外光量の変化率又は変化量である外光変化量を取得する変化量取得部、前記外光変化量に対応する光量を補償するための調光変化量を決定する調光量決定部、調光率を前記調光変化量だけ緩徐変化させる低速調光制御又は調光率を前記調光変化量だけ瞬時変化させる高速調光制御を前記外光変化量又は前記調光変化量に基づいて選択する制御選択部、及び前記制御選択部によって選択された前記低速調光制御又は前記高速調光制御に従って照明器具を調光制御する調光制御部を含むＣＰＵと
を備え、
前記制御選択部が、前記外光変化量が負の所定値よりも大きい場合には前記低速調光制御を選択し、前記外光変化量が前記負の所定値以下である場合には前記高速調光制御を選択するように構成され、又は
前記制御選択部が、前記調光変化量が正の閾値未満である場合には前記低速調光制御を選択し、前記調光変化量が前記正の閾値以上である場合には前記高速調光制御を選択するように構成された照明制御システム。
【請求項３】
調光制御可能な照明制御システムであって、
照明空間を撮像する撮像装置と、
前記撮像装置によって撮像された画像に基づいて外光量を特定する外光検出部、前記外光量の変化率又は変化量である外光変化量を取得する変化量取得部、前記外光変化量に対応する光量を補償するための調光変化量を決定する調光量決定部、調光率を前記調光変化量だけ緩徐変化させる低速調光制御又は調光率を前記調光変化量だけ瞬時変化させる高速調光制御を前記外光変化量又は前記調光変化量に基づいて選択する制御選択部、及び前記制御選択部によって選択された前記低速調光制御又は前記高速調光制御に従って照明器具を調光制御する調光制御部を含むＣＰＵと
を備え、前記低速調光制御における前記調光率の変化速度の大きさが、１０％／秒以下、好ましくは２％／秒以下である、照明制御システム。
【請求項４】
請求項１から３のいずれか一項に記載の照明制御システムにおいて、前記ＣＰＵの各部の全部又は一部を含む主ＣＰＵが前記撮像装置と一体化された照明制御システム。
【請求項５】
コンピュータを、請求項１から４のいずれか一項に記載の照明制御システムが備える各部として機能させるためのプログラム。
【請求項６】
請求項５に記載されたプログラムが記憶されたコンピュータ可読記憶媒体。
【請求項７】
照明制御方法であって、
撮像装置が照明空間を撮像するステップと、
ＣＰＵが、前記撮像装置によって撮像された画像に基づいて外光量を特定するステップと、
前記ＣＰＵが、前記外光量の変化率又は変化量である外光変化量を取得するステップと、
前記ＣＰＵが、前記外光変化量に対応する光量を補償するための調光変化量を決定するステップと、
前記ＣＰＵが、調光率を前記調光変化量だけ緩徐変化させる低速調光制御又は調光率を前記調光変化量だけ瞬時変化させる高速調光制御を前記外光変化量又は前記調光変化量に基づいて選択するステップと、
前記ＣＰＵが、選択された前記低速調光制御又は前記高速調光制御に従って照明器具を調光制御するステップと
を備え、
前記選択するステップにおいて、前記外光変化量の絶対値が所定値未満である場合には前記低速調光制御が選択され、前記外光変化量の絶対値が前記所定値以上である場合には前記高速調光制御が選択され、又は
前記選択するステップにおいて、前記調光変化量の絶対値が閾値未満である場合には前記低速調光制御が選択され、前記調光変化量の絶対値が前記閾値以上である場合には前記高速調光制御が選択される、照明制御方法。
【請求項８】
照明制御方法であって、
撮像装置が照明空間を撮像するステップと、
ＣＰＵが、前記撮像装置によって撮像された画像に基づいて外光量を特定するステップと、
前記ＣＰＵが、前記外光量の変化率又は変化量である外光変化量を取得するステップと、
前記ＣＰＵが、前記外光変化量に対応する光量を補償するための調光変化量を決定するステップと、
前記ＣＰＵが、調光率を前記調光変化量だけ緩徐変化させる低速調光制御又は調光率を前記調光変化量だけ瞬時変化させる高速調光制御を前記外光変化量又は前記調光変化量に基づいて選択するステップと、
前記ＣＰＵが、選択された前記低速調光制御又は前記高速調光制御に従って照明器具を調光制御するステップと
を備え、
前記選択するステップにおいて、前記外光変化量が負の所定値よりも大きい場合には前記低速調光制御が選択され、前記外光変化量が前記負の所定値以下である場合には前記高速調光制御が選択され、又は
前記選択するステップにおいて、前記調光変化量が正の閾値未満である場合には前記低速調光制御が選択され、前記調光変化量が前記正の閾値以上である場合には前記高速調光制御が選択される、照明制御方法。
【請求項９】
照明制御方法であって、
撮像装置が照明空間を撮像するステップと、
ＣＰＵが、前記撮像装置によって撮像された画像に基づいて外光量を特定するステップと、
前記ＣＰＵが、前記外光量の変化率又は変化量である外光変化量を取得するステップと、
前記ＣＰＵが、前記外光変化量に対応する光量を補償するための調光変化量を決定するステップと、
前記ＣＰＵが、調光率を前記調光変化量だけ緩徐変化させる低速調光制御又は調光率を前記調光変化量だけ瞬時変化させる高速調光制御を前記外光変化量又は前記調光変化量に基づいて選択するステップと、
前記ＣＰＵが、選択された前記低速調光制御又は前記高速調光制御に従って照明器具を調光制御するステップと
を備え、前記低速調光制御における前記調光率の変化速度の大きさが、１０％／秒以下、好ましくは２％／秒以下である、照明制御方法。
【発明の詳細な説明】
【技術分野】
【０００１】
本発明は、照明制御システム、照明制御プログラム及び照明制御方法に関する。
【背景技術】
【０００２】
特許文献１の照明制御装置は、室内の可視光等の電磁放射を測定して部屋の電気画像を形成する画像センサと、測定した電磁放射に応じて室内の照明を制御する制御手段とを有する。画像センサ及び制御手段によって明るさ一定制御が行われ、外光レベルに応じて照明器具の調光率が調整される。また、照明の制御において、動体検知又は物体検知の機能も付加される。
【０００３】
特許文献２の照明システムは、照明器具と、画像センサと、画像センサが取得した画像データを解釈して照明器具の点灯状態を制御する制御部とを備える。画像センサは、５秒間隔で画像データを取得し、制御部は、照明器具の点灯状態を変更する場合には、１秒間で点灯状態を変更する。そして、画像データを取得するタイミングで点灯状態を変化させないようにすることで、明るさ一定制御下で画像データからの人体検知が行われる。
【先行技術文献】
【特許文献】
【０００４】
【特許文献１】特表２００４−５０１４９６号公報
【特許文献２】特許第５２４１３２６号公報
【発明の概要】
【発明が解決しようとする課題】
【０００５】
しかし、上記構成においては、画像センサによる外光変化の検知と制御手段による調光率の変更との間のタイムラグが問題となる。詳細を後述するように、一般的な調光制御においては、外光量の変化が発生すると、制御手段は、動体検知、人体検知等のための各種処理を行いつつ、外光変化前の明るさを回復するための調光率を決定してから照明器具の調光制御を実行する。したがって、この処理のために、外光量の短時間的な変化が生じてから実際に調光が完了するまでにタイムラグが生じる。特に、外光が短時間に増加した場合には、外光量の増加により照明空間が明るくなってから上記タイムラグを以て急激な減光が行われることになる。また、外光が短時間に減少した場合には、照明空間が暗い時間が上記タイムラグの間に継続することになる。このように、短時間に外光が変化した場合、上記のタイムラグに起因する急激な減光及び暗い期間の継続は、ユーザにとって不快なものとなり、好ましくない。
【０００６】
そこで、本発明は、外光の変化量に伴う照明空間の明るさの変化に起因する視覚的影響を抑制する照明制御システム、照明制御プログラム及び照明制御方法を提供することを課題とする。
【課題を解決するための手段】
【０００７】
本発明の調光制御可能な照明制御システムは、照明空間を撮像する撮像装置と、撮像装置によって撮像された画像に基づいて外光量を特定する外光検出部、外光量の変化率又は変化量である外光変化量を取得する変化量取得部、外光変化量に対応する光量を補償するための調光変化量を決定する調光量決定部、調光率を調光変化量だけ緩徐変化させる低速調光制御又は調光率を調光変化量だけ瞬時変化させる高速調光制御を外光変化量又は調光変化量に基づいて選択する制御選択部、及び制御選択部によって選択された低速調光制御又は高速調光制御に従って照明器具を調光制御する調光制御部を含むＣＰＵとを備える。
【０００８】
上記照明制御システムによると、外光変化量又は調光変化量に基づいて、調光率を調光変化量だけ緩徐変化させる低速調光制御又は調光率を調光変化量だけ瞬時変化させる高速調光制御が選択されるので、調光制御によるユーザへの視覚的影響を柔軟かつ適正に調整することが可能となる。これにより、外光量の変化に伴う照明空間の明るさの変化に起因する視覚的影響を抑制することが可能となる。
【０００９】
一形態では、制御選択部が、外光変化量の絶対値が所定値未満である場合には低速調光制御を選択し、外光変化量の絶対値が所定値以上である場合には高速調光制御を選択するように構成される。また、制御選択部が、調光変化量の絶対値が閾値未満である場合には低速調光制御を選択し、調光変化量の絶対値が閾値以上である場合には高速調光制御を選択するように構成されてもよい。これにより、小さい外光変化の直後においては、低速調光制御によって調光率の変化がユーザに視認され難くなる。また、低速調光制御の期間中において、必要とされる明るさと実際の明るさとの乖離は小さいため、この乖離が照明空間の明るさに関して問題となることもない。そして、大きな外光変化の直後においては、高速調光制御による調光率の瞬時の変化によって、必要とされる明るさと実際の明るさとの乖離を迅速に解消することができる。
【００１０】
他の形態では、制御選択部が、外光変化量が負の所定値よりも（正方向に）大きい場合には低速調光制御を選択し、外光変化量が負の所定値以下である場合には高速調光制御を選択するように構成される。また、制御選択部が、調光変化量が正の閾値未満である場合には低速調光制御を選択し、調光変化量が正の閾値以上である場合には高速調光制御を選択するように構成されてもよい。これにより、外光の増加又は若干の減少の直後においては、低速調光制御によって調光率の変化がユーザに視認され難くなる。そして、外光の増加後の低速調光制御の期間中においては必要とされる明るさが得られており、また外光の若干の減少後の低速調光制御の期間中においては必要とされる明るさと実際の明るさとの乖離は小さいため、この乖離が照明空間の明るさに関して問題となることもない。そして、大幅な外光の減少の直後においては、高速調光制御による調光率の瞬時の上昇によって、必要とされる明るさを迅速に回復することができる。
【００１１】
上記各形態において、低速調光制御における調光率の変化速度の大きさが、１０％／秒以下、好ましくは２％／秒以下であることが好ましい。これにより、低速調光制御がユーザに視認され難くなる。
【００１２】
また、ＣＰＵの各部の全部又は一部を含む主ＣＰＵが撮像装置と一体化されていてもよい。これにより、撮像装置、主ＣＰＵ及び照明器具が天井側にまとめて設置される場合に、地上側のスペースの有効利用が可能となる。また、主ＣＰＵから照明器具を点灯、消灯及び調光するための点灯制御信号が天井側のみに配置されることになり、照明制御システムの施工性が向上するとともに点灯制御信号の通信環境が向上する。
【００１３】
また、本発明は、コンピュータを、上記照明制御システムが備える各部として機能させるための照明制御プログラムを含む。更に、本発明は、その照明制御プログラムが記憶されたコンピュータ可読記憶媒体も含む。また更に、本発明は、上記照明制御システムの各部の処理を実行するステップを備える照明制御方法も含む。
【図面の簡単な説明】
【００１４】
【図１】本発明の第１及び第２の実施形態による照明制御システムのブロック図である。
【図２】第１の実施形態による低速調光制御を説明する図である。
【図３】第１の実施形態による高速調光制御を説明する図である。
【図４】第１の実施形態による照明制御方法のフローチャートである。
【図５】第２の実施形態による低速調光制御を説明する図である。
【図６】第２の実施形態による低速調光制御及び高速調光制御を説明する図である。
【図７】第２の実施形態による照明制御方法のフローチャートである。
【図８】本発明の第３の実施形態による照明制御システムのブロック図である。
【図９】一般的な調光制御を説明する図である。
【発明を実施するための形態】
【００１５】
＜第１の実施形態＞
図１に、本発明の第１の実施形態による照明制御システム１のブロック図を示す。照明制御システム１は撮像装置２及び制御装置３を備え、制御装置３は照明器具４−１〜４−ｎを調光点灯制御する。撮像装置２及び照明器具４−１〜４−ｎは、照明空間Ｓの天井Ｃｅ付近において床面Ｆに対向して配置される。制御装置３は、例えば、照明空間Ｓとは別室の管理室等に配置されていてもよいし、照明空間Ｓ内の一部に配置されていてもよい。照明器具４−１〜４−ｎの各々は、電力線（不図示）から給電される点灯装置（不図示）及び点灯装置から所定の電流が供給される光源（不図示）を含む。照明空間Ｓは、例えばオフィス、体育館等であればよく、照明器具４−１〜４−ｎの各光源はＬＥＤ、蛍光灯、高圧放電灯、水銀灯等であればよい。なお、以降の説明において、照明器具４−１〜４−ｎについて、これらを総称して又はこれらの一部を代表して照明器具４というものとする。
【００１６】
照明空間Ｓは、例えば、壁Ｗａ又は天井Ｃｅの少なくとも一部に窓Ｗを有する。以降において議論される外光とは、照明空間Ｓの外部から窓Ｗを介して照明空間Ｓの内部に入射する光であるものとする。例えば、照明空間Ｓを使用するユーザが、昼間に窓Ｗのカーテン、ブラインド、シャッター等の遮蔽物を開放／遮蔽することにより外光量は短時間的に増加／減少する。また、昼間に窓Ｗの遮蔽物が開放されている状態で、照明空間Ｓの上空の雲の動きによっても外光量は短時間的に増減する。一方、窓Ｗが開放状態である場合に、太陽の位置変化によって外光量は長時間的に変化する。以降の説明においては、特に断りがない限り、外光又は外光量の変化とは、上述した短時間的な外光又は外光量の増減をいうものとする。
【００１７】
撮像装置２は、例えばカメラであり、撮像素子２０及び通信部２１を有する。撮像装置２は、被照射面（すなわち床面Ｆ、以下同じ）の全体を撮像して被照射面画像を取得する。撮像素子２０は天井Ｃｅの中心付近において床面Ｆに向けて、かつ被照射領域の全域（又は少なくとも床面Ｆの全域）が撮像範囲となるように設置される。なお、撮像素子２０は、床面Ｆを撮影することができれば、各照明器具４の光源面よりも天井Ｃｅ側に配置されていてもよいし、各照明器具４の光源面よりも床面Ｆ側に配置されていてもよい。撮像素子２０によって撮影された床面Ｆの画像（被照射面画像）は通信部２１によって制御装置３の受信部３３に送信される。通信部２１と受信部３３との通信はＬＡＮ等を用いた有線であってもよいし、無線であってもよい。なお、被照射面画像は、実写画像であってもよいし、輝度の高低を濃淡で表すだけの画像であってもよい。したがって、本明細書において、輝度とは、特に断りのない限り撮像素子２０から見た被照射面の明るさをいうものとする。
【００１８】
制御装置３は、ＣＰＵ３０、記憶部３１、受信部３３及び送信部３４を有し、更に必要に応じてユーザインターフェイス部（ユーザＩ／Ｆ）３２を有し、これらは相互にデータ又は信号のやりとりが可能な態様で接続される。制御装置３は専用のコンピュータであってもよいし、後述するプログラムがインストールされたパソコンであってもよい。制御装置３は、概略として、照明の明るさと外光の明るさの合計である照明空間Ｓの明るさが所望の明るさで一定となるように照明器具４を調光制御する。この明るさ一定制御によって、照明空間Ｓのユーザにおいて必要な明るさが得られるとともに、余剰な照明用電力が削減されて省エネが実現される。
【００１９】
記憶部３１は、各種プログラム及びデータを記憶するメモリである。ユーザＩ／Ｆ３２は、ユーザからの入力を受け付けるキーボード、マウス、タッチパネル等の入力部、及び撮像装置２で撮像された画像、ＣＰＵ３０による処理の結果等を表示するための出力部としての表示画面を有する。上記の入力部がタッチパネルである場合には表示画面は入力部の一部を構成する。
【００２０】
受信部３３は、撮像装置２から撮像画像のデータを受信してそれをＣＰＵ３０に入力する。送信部３４は、ＣＰＵ３０（調光制御部３０４）からの、各照明器具４を調光（点灯及び消灯を含む）するための点灯制御信号を各照明器具４に送信する。送信部３４と各照明器具４との通信は有線であっても無線であってもよい。本明細書に記載される各部間の通信が有線である場合、通信プロトコルとして、例えば、ＴＣＰ／ＩＰ、ＲＳ４８５等を用いることができる。また、本明細書に記載される各部間の通信が無線である場合、通信プロトコルとして、例えば、ＷｉＦｉ、ＺｉｇＢｅｅ等を用いることができる。ただし、通信プロトコルはこれらに限られない。
【００２１】
ＣＰＵ３０は、外光検出部３００、変化量取得部３０１、調光量決定部３０２、制御選択部３０３、調光制御部３０４及び付加機能部３０５を含む。ＣＰＵ３０は、不図示の処理部によって各部を相互に作用させることができ、コンピュータを上記の各部３００〜３０５として機能させるためのプログラムを実行することができるものとする。
【００２２】
外光検出部３００は、撮像装置２によって撮像された画像に基づいて外光を検出し、その外光量を特定する。具体的には、外光検出部３００は、撮像画像内の予め設定された所定点又は所定領域の明るさ（濃淡レベル）に基づいて外光量を特定する。上記の所定点又は所定領域は、撮像画像内の窓Ｗ付近の床面Ｆ又は窓Ｗ自体を含む点又は領域であればよい。所定点又は所定領域の明るさは、それに対応する画素に含まれる濃淡レベルの積分値によって決定される。また、窓が複数ある場合には、それぞれの窓に対応する複数の所定点又は所定領域における濃淡レベルの積分値の合計によって外光量が決定されるようにすればよい。
【００２３】
変化量取得部３０１は、外光検出部３００によって特定された外光量の変化を検出し、変化が検出された場合に外光変化量ΔＸを取得する。外光変化量ΔＸは、外光量の変化前後での変化率又は変化量で規定される。外光量の変化率は、所定時間内（例えば、約０．１秒〜１秒間）における外光量の変化割合（％）で規定される。外光量の変化量は、所定時間内（例えば、約０．１秒〜１秒間）における外光量の変化差分値（ｃｄ（カンデラ））で規定される。あるいは、変化量取得部３０１は、サンプリング時刻の異なる２つの撮像画像（例えば、連続するサンプリング時刻における２つの撮像画像）の差分画像から外光変化量ΔＸを演算してもよい。この場合、上記の所定点又は所定領域における濃淡レベルの差分値の積分値から外光変化量ΔＸが算出される。なお、外光変化量ΔＸは、外光が増加した場合には正の値となり、外光が減少した場合には負の値となる。
【００２４】
調光量決定部３０２は、変化量取得部３０１によって演算された外光変化量ΔＸに対応する光量を補償するための調光変化量ΔＤを決定する。外光変化量ΔＸに対応する調光変化量ΔＤは記憶部３１の参照テーブル等に記憶されていればよく、調光量決定部３０２は外光変化量ΔＸに基づいて記憶部３１から調光変化量ΔＤを読み出す。あるいは、変化量取得部３０１が所定の関数式に外光変化量ΔＸを代入して調光変化量ΔＤを算出するようにしてもよい。なお、調光変化量ΔＤは、調光率を上昇させる場合には正の値となり、調光率を低下させる場合には負の値となる。また、外光変化前の調光率Ｄ１に調光変化量ΔＤを加算した合計調光率Ｄ２が１００％を超える場合には、ΔＤ＝１００−Ｄ１として決定され、合計調光率Ｄ２が０％未満となる場合には、ΔＤ＝０−Ｄ１として決定される。
【００２５】
制御選択部３０３は、変化量取得部３０１によって演算された外光変化量ΔＸの大きさ（絶対値）が所定値α未満である場合には、調光率を調光変化量ΔＤだけ緩徐変化させる低速調光制御を選択する。また、制御選択部３０３は、外光変化量ΔＸの大きさ（絶対値）が所定値α以上である場合には、調光率を調光変化量ΔＤだけ瞬時変化させる高速調光制御を選択する。なお、α＞０である。
【００２６】
調光制御部３０４は、制御選択部３０３によって選択された高速調光制御又は低速調光制御に従って照明器具４を調光制御する。ここで、調光制御とは、減光点灯だけでなく、全光点灯（調光率：１００％）及び消灯（調光率：０％）を行うための制御も含むものとする。
【００２７】
付加機能部３０５は、上記各部以外で扱う情報を収集及び処理し、付加機能を実行する。付加機能としては、例えば、人の動きを検知、推定、予測等してその結果に基づいて調光率を補正する動体検知機能、被照射領域の区分け又は照明器具のグルーピングに応じて検知又は調光制御を行うエリア指定機能、時間帯に応じて外光検出又は動体検知の態様を変更するタイマ機能等がある。ただし、付加機能はこれらに限られない。
【００２８】
本実施形態における低速調光制御及び高速調光制御を説明する前に、図９を用いて一般的な調光制御を説明する。図９において、横軸が時間、縦軸が明るさであり、線Ｘが外光の明るさ（外光量）、線Ｄが照明の明るさ（調光率に比例）、線Ｓが照明空間Ｓの明るさ（線Ｘと線Ｄの合計値）を表す。時刻ｔａにおいて外光量が増加し、時刻ｔｃにおいて外光量が減少するものとする。外光量が変化すると（時刻ｔａ、ｔｃ）、動体検知等の各種処理が行われつつ、外光変化量に応じた調光変化量が決定され、照明器具の調光制御が行われる（時刻ｔｂ、ｔｄ）。したがって、これらの処理のために外光量の変化が生じてから実際に調光が完了するまでにタイムラグ（ｔｂ−ｔａ、ｔｄ−ｔｃ）が生じる。外光が増加した場合には、外光量の増加により照明空間が明るくなってからタイムラグ（ｔｂ−ｔａ）を以て急峻な減光が行われることになる。また、外光が減少した場合には、照明空間が暗い時間がタイムラグ（ｔｄ−ｔｃ）の間に継続することになる。
【００２９】
図２を用いて本実施形態における低速調光制御を説明する。図２において、横軸が時間、縦軸が明るさであり、線Ｘが外光の明るさ（外光量）、線Ｄが照明の明るさ（調光率に比例）、線Ｓが照明空間Ｓの明るさ（線Ｘと線Ｄの合計値）を表す。時刻ｔ１〜ｔ２において外光量がＸ１からＸ２増加し、時刻ｔ４〜ｔ５において外光量がＸ２からＸ１に減少し、Ｘ２−Ｘ１＜αであるものとする。時刻ｔ１〜ｔ２の時間及び時刻ｔ４〜ｔ５の時間は実質的に短時間（例えば１秒以内）であるものとする。また、期間を通じて外光量は外光検出部３００によってサンプリングされているものとする。
【００３０】
時刻ｔ２において、変化量取得部３０１が外光変化量ΔＸ（＝Ｘ２−Ｘ１）を演算し、調光量決定部３０２が外光変化量ΔＸに対応する調光変化量ΔＤを決定する。
ここで、｜ΔＸ｜＜αであるから、制御選択部３０３は低速調光制御を選択する。そして、時刻ｔ２〜ｔ３にかけて、調光制御部３０４が緩徐的に調光率を｜ΔＤ｜だけ減少させる。
【００３１】
また、時刻ｔ５において、変化量取得部３０１が外光変化量ΔＸ（＝Ｘ１−Ｘ２）を演算し、調光量決定部３０２が外光変化量ΔＸに対応する調光変化量ΔＤを決定する。
ここで、｜ΔＸ｜＜αであるから、制御選択部３０３は低速調光制御を選択する。そして、時刻ｔ５〜ｔ６にかけて調光制御部３０４が緩徐的に調光率を｜ΔＤ｜だけ増加させる。
【００３２】
なお、低速調光制御において、調光率の変化速度の大きさ（｜ΔＤ｜／（ｔ３−ｔ２）、｜ΔＤ｜／（ｔ６−ｔ５））は、１０％／秒以下程度、好ましくは２％／秒以下程度であればよい。これにより、低速調光制御がユーザに視認され難くなる。なお、調光率の変化速度は、使用上の実質的な遅延なく外光変化前の明るさが回復される程度以上の大きさであればよい。また、調光率の上昇時と低下時とで調光率の変化速度の大きさが異なっていてもよい。例えば、調光率上昇時の変化が調光率低下時の変化よりも速くてもよい。
【００３３】
図３を用いて本実施形態における高速調光制御を説明する。図３においても、横軸が時間、縦軸が明るさであり、線Ｘが外光の明るさ（外光量）、線Ｄが照明の明るさ（調光率に比例）、線Ｓが照明空間Ｓの明るさ（線Ｘと線Ｄの合計値）を表す。時刻ｔ１１〜ｔ１２において外光量がＸ１からＸ３増加し、時刻ｔ１４〜ｔ１５において外光量がＸ３からＸ１に減少し、Ｘ３−Ｘ１≧αであるものとする。時刻ｔ１１〜ｔ１２の時間及び時刻ｔ１４〜ｔ１５の時間は実質的に短時間（例えば１秒以内）であるものとする。また、期間を通じて外光量は外光検出部３００によってサンプリングされているものとする。
【００３４】
時刻ｔ１２において、変化量取得部３０１が外光変化量ΔＸ（＝Ｘ３−Ｘ１）を演算し、調光量決定部３０２が外光変化量ΔＸに対応する調光変化量ΔＤを決定する。
ここで、｜ΔＸ｜≧αであるから、制御選択部３０３は高速調光制御を選択する。そして、時刻ｔ１２の直後に、調光制御部３０４が瞬時に調光率を｜ΔＤ｜だけ減少させる。
【００３５】
また、時刻ｔ１５において、変化量取得部３０１が外光変化量ΔＸ（＝Ｘ１−Ｘ３）を演算し、調光量決定部３０２が外光変化量ΔＸに対応する調光変化量ΔＤを決定する。
ここで、｜ΔＸ｜≧αであるから、制御選択部３０３は高速調光制御を選択する。そして、時刻ｔ１５の直後に、調光制御部３０４が瞬時に調光率を｜ΔＤ｜だけ増加させる。
【００３６】
なお、高速調光制御における瞬時の調光率変化をより迅速化するために、種々の制御が採用され得る。例えば、高速調光制御時には、ＣＰＵ３０が、調光率の変化に関する処理以外の処理を中断する等して、実質的に高速調光制御を優先的に実行するようにしてもよい。具体的には、ＣＰＵ３０は、制御選択部３０３によって高速調光制御が選択された際に、付加機能部３０５による処理を一時中断してもよい。また、図３においては、外光量のＸ１からＸ２への変化及びＸ２からＸ１への変化がそれぞれ終了してから外光変化量ΔＸの絶対値が所定値αと比較される態様を例示するが、外光変化量ΔＸが所定値αに達した時点で高速調光制御が開始されるようにしてもよい。
【００３７】
具体的には、ΔＸ＝±αにそれぞれ対応する固定の調光変化量ΔＤｆが記憶部３１に予め記憶される。変化量取得部３０１が外光変化量ΔＸを監視し、所定期間内に｜ΔＸ｜＝αとなった場合に指令を生成する。この指令を受けて、調光量決定部３０２が調光変化量ΔＤ＝ΔＤｆを決定するとともに制御選択部３０３が高速調光制御を選択し、調光制御部３０４が調光率を瞬時にΔＤｆだけ変化させる。この場合、その後も外光量が変化して高速調光制御後の調光率が最適な調光率とはならない可能性があるため、調光変化量ΔＤ´が再計算されて、調光変化量ΔＤ´分の調光率の変化（追加の調光制御）が行われるようにすればよい。追加の調光制御においては、低速調光制御又は高速調光制御が、上記いずれかの処理によって適宜選択される。
【００３８】
図４に、本実施形態による照明制御システム１における照明制御方法のフローチャートを示す。処理の開始時点で、所定の調光率によって点灯が行われており、撮像装置２が照明空間Ｓを逐次撮像しているものとする。
【００３９】
ステップＳ５において、外光検出部３００が、撮像画像に基づいて外光量Ｘａを特定する。
ステップＳ６において、変化量取得部３０１が外光量に変化が発生したか否かを判定する。外光量に変化が発生したと判定された場合（ステップＳ６、Ｙｅｓ）、処理はステップＳ１０に進む。外光量に変化が発生しないと判定される場合（ステップＳ６、Ｎｏ）、処理はステップＳ５又はＳ６に戻る。
【００４０】
ステップＳ１０において、外光検出部３００が、撮像画像に基づいて外光量Ｘｂを特定する。
ステップＳ１１において、変化量取得部３０１が、外光変化量ΔＸ＝Ｘａ−Ｘｂを演算する。
ステップＳ１２において、調光量決定部３０２が、外光変化量ΔＸに基づいて、外光変化量ΔＸを補償するための調光変化量ΔＤを決定する。
【００４１】
ステップＳ１５において、制御選択部３０３が、外光変化量ΔＸの絶対値と所定値αを比較する。外光変化量ΔＸの絶対値が所定値α未満である場合（ステップＳ１５、Ｙｅｓ）、ステップＳ２０において制御選択部３０３が低速調光制御を選択し、処理はステップＳ２５に進む。外光変化量ΔＸの絶対値が所定値α以上である場合（ステップＳ１５、Ｎｏ）、ステップＳ２１において制御選択部３０３が高速調光制御を選択し、処理はステップＳ２６に進む。
【００４２】
ステップＳ２５において、調光制御部３０４が、低速調光制御に従って各照明器具４の調光率を調光変化量ΔＤだけ緩徐的に変化させる。
ステップＳ２６において、調光制御部３０４が、高速調光制御に従って各照明器具４の調光率を調光変化量ΔＤだけ瞬時に変化させる。
【００４３】
ステップＳ３０において、ＣＰＵ３０が、明るさ一定制御が終了していないと判断した場合（ステップＳ３０、Ｎｏ）、処理はステップＳ５に戻り、それ以外の場合には処理は終了する。なお、明るさ一定制御は、照明器具４の消灯、付加機能部３０５のタイマによる終了等によって終了され得る。
【００４４】
第１の実施形態の変形例．
上記においては、外光変化量ΔＸの絶対値の大きさに基づいて低速調光制御又は高速調光制御が選択される構成を示したが、調光変化量ΔＤの絶対値の大きさに基づいて低速調光制御又は高速調光制御が選択されるようにしてもよい。
【００４５】
上記実施形態と同様に、調光量決定部３０２が、外光変化量ΔＸに基づいて調光変化量ΔＤを決定する。上述したように、外光変化前の調光率Ｄ１に調光変化量ΔＤを加算した合計調光率Ｄ２が１００％を超える場合には、ΔＤ＝１００−Ｄ１に決定され、合計調光率Ｄ２が０％未満となる場合には、ΔＤ＝０−Ｄ１に決定される。
【００４６】
本変形例では、制御選択部３０３は、調光量決定部３０２によって決定された調光変化量ΔＤの大きさ（絶対値）が閾値ｄα未満である場合には低速調光制御を選択し、調光変化量ΔＤの大きさ（絶対値）が閾値ｄα以上である場合には高速調光制御を選択する。上記の所定値αと閾値ｄαとは対応関係にあればよい。このように調光変化量ΔＤに対する閾値ｄαは、低速調光制御と高速調光制御の境界を構成し、例えば３０％〜７０％程度であればよい。言い換えると、上記実施形態において、上記閾値ｄαに対応する調光変化量ΔＤをもたらす所定値αが設定されればよい。
【００４７】
また、本変形例の照明制御方法は、図４のフローチャートのステップＳ１５が以下のステップＳ１６（不図示）に置き換えられたものとなる。ステップＳ１６では、制御選択部３０３は、調光変化量ΔＤの絶対値と閾値ｄαを比較する。調光変化量ΔＤの絶対値が閾値ｄα未満である場合（ステップＳ１６、Ｙｅｓ）、ステップＳ２０において制御選択部３０３が低速調光制御を選択し、処理はステップＳ２５に進む。調光変化量ΔＤの絶対値が閾値ｄα以上である場合（ステップＳ１６、Ｎｏ）、ステップＳ２１において制御選択部３０３が高速調光制御を選択し、処理はステップＳ２６に進む。
【００４８】
以上のように、本発明の調光制御システム１は、照明空間Ｓを撮像する撮像装置２と、制御装置３のＣＰＵ３０とを備える。そして、ＣＰＵ３０は、撮像装置２による撮像画像に基づいて外光量を特定する外光検出部３００、外光変化量ΔＸを取得する変化量取得部３０１、外光変化量ΔＸに対応する調光変化量ΔＤを決定する調光量決定部３０２、調光率を調光変化量ΔＤだけ緩徐変化させる低速調光制御又は調光率を調光変化量ΔＤだけ瞬時変化させる高速調光制御を外光変化量ΔＸ又は調光変化量ΔＤに基づいて選択する制御選択部３０３、及び制御選択部３０３によって選択された調光制御に従って照明器具４を調光制御する調光制御部３０４を含む。このように、外光変化量ΔＸ又は調光変化量ΔＤに基づいて、調光率を調光変化量ΔＤだけ緩徐変化させる低速調光制御又は調光率を調光変化量ΔＤだけ瞬時変化させる高速調光制御が選択されるので、調光制御によるユーザへの視覚的影響を柔軟かつ適正に調整することが可能となる。これにより、外光量の変化に伴う照明空間Ｓの明るさの変化に起因する視覚的影響を抑制することが可能となる。
【００４９】
特に、本実施形態では、外光変化量ΔＸの絶対値が所定値α未満である場合には調光率の緩徐変化を伴う低速調光制御が選択され、外光変化量ΔＸの絶対値が所定値α以上である場合には調光率の瞬時変化を伴う高速調光制御が選択される。また、本実施形態の変形例では、調光変化量ΔＤの絶対値が閾値ｄα未満である場合には調光率の緩徐変化を伴う低速調光制御が選択され、調光変化量ΔＤの絶対値が閾値ｄα以上である場合には調光率の瞬時変化を伴う高速調光制御が選択される。これにより、小さい外光変化の直後においては、低速調光制御によって調光率の変化がユーザに視認され難くなる。また、低速調光制御の期間中において、必要とされる明るさと実際の明るさとの乖離は小さいため、この乖離が照明空間Ｓの明るさに関して問題となることもない。大きな外光変化の直後においては、高速調光制御による調光率の瞬時の変化によって、必要とされる明るさと実際の明るさとの乖離が迅速に解消される。
【００５０】
＜第２の実施形態＞
上記第１の実施形態では、外光変化の大きさに応じて各調光制御が選択される構成を示したが、本実施形態では、外光変化の方向及び大きさに応じて各調光制御が選択される構成を示す。本実施形態の照明制御システムのブロック図は、第１の実施形態について示した図１のブロック図と同じである。本実施形態と第１の実施形態とは、制御選択部３０３の動作が異なる。本実施形態と第１の実施形態とは、制御選択部３０３以外の構成は同じであるので、その重複する説明を省略する。
【００５１】
本実施形態の制御選択部３０３は、外光変化量ΔＸが所定値−βよりも（正方向に）大きい場合（すなわち、外光量が増加した場合又は若干減少した場合）には調光率を調光変化量ΔＤだけ緩徐変化させる低速調光制御を選択する。また、制御選択部３０３は、外光変化量ΔＸが所定値−β以下である場合（すなわち、外光量が大幅に減少した場合）には調光率を調光変化量ΔＤだけ瞬時上昇させる高速調光制御を選択する。なお、β＞０である。また、低速調光制御における調光率の変化速度の大きさは、第１の実施形態と同様であればよい。
【００５２】
本実施形態でも、高速調光制御における瞬時の調光率変化をより迅速化するために、種々の制御が採用され得る。例えば、第１の実施形態と同様に、高速調光制御時には、ＣＰＵ３０が、調光率の変化に関する処理以外の処理（例えば、付加機能部３０５による処理）を中断する等して、実質的に高速調光制御を優先的に実行するようにしてもよい。また、第１の実施形態と同様に、外光変化量ΔＸが所定値−βに達した時点で高速調光制御が開始されるようにしてもよい。
【００５３】
具体的には、ΔＸ＝−βに対応する固定の調光変化量ΔＤｆが記憶部３１に予め記憶される。変化量取得部３０１が外光変化量ΔＸを監視し、所定期間内にΔＸ＝−βとなった場合に指令を生成する。この指令を受けて、調光量決定部３０２が調光変化量ΔＤ＝ΔＤｆを決定するとともに制御選択部３０３が高速調光制御を選択し、調光制御部３０４が調光率を瞬時にΔＤｆだけ増加させる。この場合、その後も外光量が低下して高速調光制御後の調光率が最適な調光率よりも低くなる可能性があるため、調光変化量ΔＤ´が再計算されて、調光変化量ΔＤ´分の調光率の増加（追加の調光制御）が行われるようにすればよい。追加の調光制御においては、低速調光制御又は高速調光制御が、上記いずれかの処理によって適宜選択される。
【００５４】
図５を用いて本実施形態における低速調光制御を説明する。図５において、横軸が時間、縦軸が明るさであり、線Ｘが外光の明るさ（外光量）、線Ｄが照明の明るさ（調光率に比例）、線Ｓが照明空間Ｓの明るさ（線Ｘと線Ｄの合計値）を表す。時刻ｔ２１〜ｔ２２において外光量がＸ１からＸ２増加し、時刻ｔ２４〜ｔ２５において外光量がＸ２からＸ１に減少し、Ｘ２−Ｘ１＞Ｘ１−Ｘ２＞−βであるものとする。時刻ｔ２１〜ｔ２２の時間及び時刻ｔ２４〜ｔ２５の時間は実質的に短時間（例えば１秒以内）であるものとする。
【００５５】
時刻ｔ２２において、変化量取得部３０１が外光変化量ΔＸ（＝Ｘ２−Ｘ１）を演算し、調光量決定部３０２が外光変化量ΔＸに対応する調光変化量ΔＤを決定する。
ここで、ΔＸ＞−βであるから、制御選択部３０３は低速調光制御を選択する。そして、時刻ｔ２２〜ｔ２３にかけて、調光制御部３０４が緩徐的に調光率を｜ΔＤ｜だけ減少させる。
【００５６】
また、時刻ｔ２５において、変化量取得部３０１が外光変化量ΔＸ（＝Ｘ１−Ｘ２）を演算し、調光量決定部３０２が外光変化量ΔＸに対応する調光変化量ΔＤを決定する。
ここで、ΔＸ＞−βであるから、制御選択部３０３は低速調光制御を選択する。そして、時刻ｔ３２〜ｔ３３にかけて、調光制御部３０４が緩徐的に調光率を｜ΔＤ｜だけ増加させる。
【００５７】
図６を用いて本実施形態における低速調光制御及び高速調光制御を説明する。図６においても、横軸が時間、縦軸が明るさであり、線Ｘが外光の明るさ（外光量）、線Ｄが照明の明るさ（調光率に比例）、線Ｓが照明空間Ｓの明るさ（線Ｘと線Ｄの合計値）を表す。時刻ｔ３１〜ｔ３２において外光量がＸ１からＸ３増加し、時刻ｔ３４〜ｔ３５において外光量がＸ３からＸ１に減少し、Ｘ３−Ｘ１＞−β≧Ｘ１−Ｘ３であるものとする。時刻ｔ３１〜ｔ３２の時間及び時刻ｔ３４〜ｔ３５の時間は実質的に短時間（例えば１秒以内）であるものとする。
【００５８】
時刻ｔ３２において、変化量取得部３０１が外光変化量ΔＸ（＝Ｘ３−Ｘ１）を演算し、調光量決定部３０２が外光変化量ΔＸに対応する調光変化量ΔＤを決定する。
ここで、ΔＸ＞−βであるから、制御選択部３０３は低速調光制御を選択する。そして、時刻ｔ３２〜ｔ３３にかけて、調光制御部３０４が緩徐的に調光率を｜ΔＤ｜だけ減少させる。
【００５９】
また、時刻ｔ３５において、変化量取得部３０１が外光変化量ΔＸ（＝Ｘ１−Ｘ３）を演算し、調光量決定部３０２が外光変化量ΔＸに対応する調光変化量ΔＤを決定する。
ここで、ΔＸ≦−βであるから、制御選択部３０３は高速調光制御を選択する。そして、時刻ｔ３５の直後に、調光制御部３０４が瞬時に調光率を｜ΔＤ｜だけ増加させる。
【００６０】
図７に、本実施形態による照明制御システム１における照明制御方法のフローチャートを示す。処理の開始時点で、所定の調光率によって点灯が行われており、撮像装置２が照明空間Ｓを逐次撮像しているものとする。ステップＳ５〜Ｓ１２及びＳ３０は、第１の実施形態の照明制御方法と同じである。すなわち、ステップＳ５において、外光量Ｘａが特定され、ステップＳ６において、外光量に変化が発生したと判定された場合に、ステップＳ１０において、外光量Ｘｂが特定される。ステップＳ１１において、外光変化量ΔＸ＝Ｘａ−Ｘｂが演算され、ステップＳ１２において、外光変化量ΔＸに基づいて調光変化量ΔＤが決定される。
【００６１】
ステップＳ３５において、制御選択部３０３が、外光変化量ΔＸと所定値−βを比較する。外光変化量ΔＸが所定値−βよりも大きい場合（ステップＳ３５、Ｙｅｓ）、ステップＳ４０において制御選択部３０３が低速調光制御を選択し、処理はステップＳ４５に進む。外光変化量ΔＸが所定値−β以下である場合（ステップＳ３５、Ｎｏ）、ステップＳ４１において制御選択部３０３が高速調光制御を選択し、処理はステップＳ４６に進む。
【００６２】
ステップＳ４５において、調光制御部３０４が、低速調光制御に従って、各照明器具４の調光率を調光変化量ΔＤだけ緩徐的に減少又は増加させる。
ステップＳ４６において、調光制御部３０４が、高速調光制御に従って、各照明器具４の調光率を調光変化量ΔＤだけ瞬時に増加させる。
ステップＳ３０において、第１の実施形態と同様に、処理の継続又は終了が判断される。
【００６３】
第２の実施形態の変形例．
上記においては、外光変化量ΔＸの符号及び大きさに基づいて低速調光制御又は高速調光制御が選択される構成を示したが、調光変化量ΔＤの符号及び大きさに基づいて低速調光制御又は高速調光制御が選択されるようにしてもよい。
【００６４】
上記実施形態と同様に、調光量決定部３０２が、外光変化量ΔＸに基づいて調光変化量ΔＤを決定する。上述したように、外光変化前の調光率Ｄ１に調光変化量ΔＤを加算した合計調光率Ｄ２が１００％を超える場合には、ΔＤ＝１００−Ｄ１に決定され、合計調光率Ｄ２が０％未満となる場合には、ΔＤ＝０−Ｄ１に決定される。
【００６５】
本変形例では、制御選択部３０３は、調光変化量ΔＤが閾値ｄβ未満である場合（すなわち、調光率を低下させる場合又は若干上昇させる場合）には調光率を調光変化量ΔＤだけ緩徐変化させる低速調光制御を選択する。また、制御選択部３０３は、調光変化量ΔＤが閾値ｄβ以上である場合（すなわち、調光率を大幅に増加させる場合）には調光率を調光変化量ΔＤだけ瞬時上昇させる高速調光制御を選択する。なお、ｄβ＞０である。上記の所定値−βと閾値ｄβとは対応関係にあればよい。このように調光変化量ΔＤに対する閾値ｄβは、低速調光制御と高速調光制御の境界を構成し、例えば３０％〜７０％程度であればよい。言い換えると、上記実施形態において、上記閾値ｄβに対応する調光変化量ΔＤをもたらす所定値βが設定されればよい。
【００６６】
また、本変形例の照明制御方法は、図７のフローチャートのステップＳ３５が以下のステップＳ３６（不図示）に置き換えられたものとなる。ステップＳ３６では、制御選択部３０３が、調光変化量ΔＤと閾値ｄβを比較する。調光変化量ΔＤが閾値ｄβ未満である場合（ステップＳ３６、Ｙｅｓ）、ステップＳ４０において制御選択部３０３が低速調光制御を選択し、処理はステップＳ４５に進む。調光変化量ΔＤが閾値ｄβ以上である場合（ステップＳ３６、Ｎｏ）、ステップＳ４１において制御選択部３０３が高速調光制御を選択し、処理はステップＳ４６に進む。
【００６７】
以上のように、本実施形態の照明制御システム１では、外光変化量ΔＸが所定値−βよりも大きい場合には調光率の緩徐変化を伴う低速調光制御が選択され、外光変化量ΔＸが所定値−β以下である場合には調光率の瞬時変化を伴う高速調光制御が選択される。また、調光変化量ΔＤが閾値ｄβ未満である場合には調光率の緩徐変化を伴う低速調光制御が選択され、調光変化量ΔＸが閾値ｄβ以上である場合には調光率の瞬時変化を伴う高速調光制御が選択される。これにより、外光の増加又は外光の若干の減少の直後においては、低速調光制御によって調光率の変化がユーザに視認され難くなる。そして、外光の増加後の低速調光制御の期間中においては必要とされる明るさが得られており、また外光の若干の減少後の低速調光制御の期間中においては必要とされる明るさと実際の明るさとの乖離は小さいため、この乖離が照明空間Ｓの明るさに関して問題となることもない。そして、大幅な外光の減少の直後においては、高速調光制御による調光率の瞬時の上昇によって、必要とされる明るさが迅速に回復される。これにより、第１の実施形態と同様に、外光量の変化に伴う照明空間Ｓの明るさの変化に起因する視覚的影響を抑制することが可能となる。
【００６８】
＜第３の実施形態＞
上記第１及び２の実施形態では、制御装置３と撮像装置２が分離された構成を示したが、本実施形態では、ＣＰＵ３０等、制御装置の大部分の構成要素が撮像装置２と一体化される構成を示す。
【００６９】
図８に、本実施形態の照明制御システム１のブロック図を示す。本実施形態において、第１の実施形態と実質的に同じ構成要素には同じ符号を付し、重複する説明を省略する。図８に示すように、制御装置３は、天井Ｃｅ側の制御装置３Ａ及び操作側の制御装置３Ｂを有し、それぞれＣＰＵ３０Ａ（主ＣＰＵ）及びＣＰＵ３０Ｂ（副ＣＰＵ）を含む。本実施形態と第１及び第２の実施形態とは通信構成が異なるが、ＣＰＵ３０Ａ及び３０Ｂにおいて実行される処理は上記ＣＰＵ３０において実行される処理と実質的に同じである。
【００７０】
本実施形態では、ＣＰＵ３０Ａは前述したＣＰＵ３０の外光検出部３００、変化量取得部３０１、調光量決定部３０２、制御選択部３０３、調光制御部３０４及び付加機能部３０５を含む。ただし、ＣＰＵ３０ＡとＣＰＵ３０Ｂの機能分担はこれに限られない。例えば、付加機能部３０５に付加される機能によっては、付加機能部３０５の一部又は全部がＣＰＵ３０Ｂに含まれてもよい。そして、ＣＰＵ３０Ａ及び３０Ｂとも、プログラム及びデータ処理用の一般的な処理部を備えているものとする。
【００７１】
制御装置３ＡはＣＰＵ３０Ａ、記憶部３１、送信部３４及び通信部３５を含み、撮像装置２と一体化される。撮像装置２（撮像素子２０）と制御装置３Ａ（ＣＰＵ３０Ａ）との信号のやりとりは適宜のインターフェイスを介して行われるものとする。
【００７２】
制御装置３ＢはユーザＩ／Ｆ部３２、通信部３６、ＣＰＵ３０Ｂ及び記憶部３７を含み、照明空間Ｓとは別室の管理室、照明空間Ｓ内外の床面上等、ユーザが操作可能な場所に位置するものとする。記憶部３７は、プログラム及びデータを記憶するメモリであり、記憶部３１の複製であってもよい。
【００７３】
制御装置３Ａの送信部３４は、第１の実施形態と同様に、ＣＰＵ３０Ａ（調光制御部３０４）からの調光制御信号を各照明器具４に送信する。制御装置３Ａの通信部３５は、制御装置３Ｂの通信部３６と無線接続される。通信部３５から通信部３６へは、撮像装置２による撮像画像、現在の調光率等が送信される。通信部３６から通信部３５へは、ユーザＩ／Ｆ３２を介したユーザ入力が送信される。ユーザ入力には、照明器具４のマニュアル点灯、消灯又は調光するための指令等が含まれる。
【００７４】
以上のように、本実施形態の照明制御システム１においては、上記第１又は第２の実施形態のＣＰＵ３０の各部の全部又は一部を含むＣＰＵ３０Ａが撮像装置２に一体化される。これにより、管理室等の地上側に設置すべき装置が小型化され、スペースの有効利用が可能となる。また、制御装置３Ｂは、大きな処理量及び記憶量を必要としないので、比較的メモリ容量の小さいパソコン、携帯通信端末等でも構成可能となる。
【００７５】
また、ＣＰＵ３０Ａを有する制御装置３Ａが撮像装置２に一体化されることによって、送信部３４と各照明器具４との間の点灯制御信号のための通信配線が天井Ｃｅ側のみに配置され、地上（管理室等）と天井側との間の通信配線が不要となる。これにより、照明制御システム１の施工容易性が高まる。また、送信部３４と各照明器具４とが無線接続される場合、通信が障害物によって遮られる可能性が減少し、通信環境が向上する。
【００７６】
＜プログラム等＞
なお、上述した各実施形態における照明制御システム１（ＣＰＵ３０、３０Ａ、３０Ｂ）を実現する各構成要素、及び処理の各ステップは、記憶部３１又は３７のＲＡＭ又はＲＯＭなどに記憶されたプログラムが動作することによって実現される。
【００７７】
また、本発明は、上記各実施形態の機能を実現するソフトウェアのプログラム（図４又は図７に示すフローチャート及びその変形例に対応したプログラム）が、照明制御システム１（ＣＰＵ３０、３０Ａ、３０Ｂ）に直接に、又は遠隔から供給される場合も含む。したがって、本発明の機能処理を実現するために、照明制御システム１（ＣＰＵ３０、３０Ａ、３０Ｂ）にインストールされるプログラムコード自体も本発明に含まれる。すなわち、本発明には、本発明の機能処理を実現するためのコンピュータプログラムも含まれる。そのプログラムは、コンピュータを、上記の外光検出部３００、変化量取得部３０１、調光量決定部３０２、制御選択部３０３、調光制御部３０４及び付加機能部３０５の全部又は一部として機能させることができる。このように、本発明は、上記各実施形態に示したような作用効果をソフトウェアの導入によって実現できるので、照明制御システム１の導入容易性を向上することができる。
【００７８】
上記プログラムがインターネットからダウンロードされるようにしてもよい。この場合、ブラウザ機能によってインターネットのホームページに接続された照明制御システム１に、そのホームページから上記コンピュータプログラム又は圧縮され自動インストール機能を含むファイルがハードディスク等にダウンロードされる。
【００７９】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【００８０】
＜変形例＞
以上に本発明の好適な実施形態を示したが、本発明は、例えば以下に示すように種々の態様に変形可能である。
【００８１】
（１）一般的な調光制御の使用
上記各実施形態においては、外光量の変化に対して低速調光制御又は高速調光制御のいずれかが実行される構成を示した。一方、外光量が変化したとしても外光変化量ΔＸ又は調光変化量ΔＤの絶対値が非常に小さい場合には、調光制御における調光率の変化が視覚に与える影響は小さいことから、図９に示したような一般的な調光制御が行われるようにしてもよい。
【００８２】
（２）低速調光制御と高速調光制御の組合せ
上記各実施形態においては、外光の変化に対して低速調光制御又は高速調光制御のいずれかが実行される構成を示した。一方、外光変化量ΔＸ又は調光変化量ΔＤが比較的大きい場合（例えば、｜ΔＸ｜＞α、｜ΔＤ｜＞ｄα、ΔＸ＜−β、又はΔＤ＞ｄβの場合）に、高速調光制御によって所定量の調光率変化が行われてから、残りの調光率変化が低速調光制御によって行われるようにしてもよい。
【符号の説明】
【００８３】
１  照明制御システム
２  撮像装置
３、３Ａ、３Ｂ  制御装置
４、４−１〜４−ｎ  照明器具
３０、３０Ａ、３０Ｂ  ＣＰＵ
３００  外光検出部
３０１  変化量取得部
３０２  調光量決定部
３０３  制御選択部
３０４  調光制御部
３０５  付加機能部
【図１】
0006439635.tif 000002
【図２】
0006439635.tif 000003
【図３】
0006439635.tif 000004
【図４】
0006439635.tif 000005
【図５】
0006439635.tif 000006
【図６】
0006439635.tif 000007
【図７】
0006439635.tif 000008
【図８】
0006439635.tif 000009
【図９】
0006439635.tif 000010